(57)【要約】【課題】不要なイメージログが履歴として記録されることを抑制する履歴記録システム、履歴記録プログラムを提供する。【解決手段】記録媒体に印刷する画像を示す画像情報を取得し、記録媒体に画像の裏地として、記録媒体に画像を印刷する印刷手段により印刷された場合の裏地画像を示す裏地画像情報を生成する際に用いられる裏地内容情報を取得し、取得された画像情報を用いて、印刷手段により記録媒体に印刷された場合の印刷画像を示す印刷画像情報を生成し、取得された裏地内容情報を用いて、裏地画像情報を生成し、生成された印刷画像情報が示す印刷画像、及び生成された裏地画像情報が示す裏地画像と重畳した重畳画像を示す重畳画像情報を生成し、印刷画像情報、裏地内容情報、裏地画像情報、及び重畳画像情報のうち、いずれの情報を記録手段に記録するかをユーザに設定させ、設定された情報を、所定の情報に関連づけて記録手段に履歴情報として記録する。【選択図】図７
2009064325.tif 000002
【特許請求の範囲】
【請求項１】
情報を記録する記録手段と、
記録媒体に画像を印刷する印刷手段と、
前記記録媒体に印刷する画像を示す画像情報を取得する画像情報取得手段と、
前記記録媒体に前記画像の裏地として前記印刷手段により印刷された場合の裏地画像を示す裏地画像情報を生成する際に用いられる裏地内容情報を取得する裏地内容情報取得手段と、
前記画像情報取得手段により取得された画像情報を用いて、前記印刷手段により前記記録媒体に印刷された場合の印刷画像を示す印刷画像情報を生成する印刷画像情報生成手段と、
前記裏地内容情報取得手段により取得された裏地内容情報を用いて、前記裏地画像情報を生成する裏地画像情報生成手段と、
前記印刷画像情報生成手段により生成された印刷画像情報が示す印刷画像、及び前記裏地画像情報生成手段により生成された裏地画像情報が示す裏地画像を重畳した重畳画像を示す重畳画像情報を生成する重畳画像情報生成手段と、
前記印刷画像情報、前記裏地内容情報、前記裏地画像情報、及び前記重畳画像情報のうち、いずれの情報を前記記録手段に記録するかをユーザに設定させる設定手段と、
前記設定手段により前記記録手段に記録することが設定された前記情報を、所定の情報に関連づけて前記記録手段に履歴情報として記録する情報記録手段と、
を有する履歴記録システム。
【請求項２】
前記所定の情報は、前記印刷手段により前記記録媒体に印刷された日時を示す印刷日時情報、前記画像情報の名称を示す画像名称情報、前記画像情報取得手段が前記画像情報を取得した取得先を特定するための取得先特定情報、前記印刷手段により行われた印刷処理を特定するための印刷処理特定情報、前記印刷手段の名称を示す印刷手段名称情報、及び前記印刷手段を特定するための印刷手段特定情報のうちの少なくとも１つの情報を含む請求項１に記載の履歴記録システム。
【請求項３】
前記裏地内容情報は、前記画像情報が作成された作成日時を示す作成日時情報、前記画像情報を作成した作成者を示す作成者情報、前記画像情報が更新された更新日時を示す更新日時情報、前記画像情報を前記作成者が作成する際に用いたソフトウェアを示すソフトウェア情報、及び所定の文字列のうちの少なくとも１つの情報を含む請求項１又は請求項２に記載の履歴記録システム。
【請求項４】
前記裏地内容情報に含まれる情報を検索キーとして、前記記録手段に記録された前記裏地内容情報を検索する検索手段を更に有する請求項３に記載の履歴記録システム。
【請求項５】
記録媒体に印刷する画像を示す画像情報を取得する画像情報取得ステップと、
前記記録媒体に前記画像の裏地として、記録媒体に画像を印刷する印刷手段により印刷された場合の裏地画像を示す裏地画像情報を生成する際に用いられる裏地内容情報を取得する裏地内容情報取得ステップと、
前記画像情報取得ステップにより取得された画像情報を用いて、前記印刷手段により前記記録媒体に印刷された場合の印刷画像を示す印刷画像情報を生成する印刷画像情報生成ステップと、
前記裏地内容情報取得ステップにより取得された裏地内容情報を用いて、前記裏地画像情報を生成する裏地画像情報生成ステップと、
前記印刷画像情報生成ステップにより生成された印刷画像情報が示す印刷画像、及び前記裏地画像情報生成ステップにより生成された裏地画像情報が示す裏地画像と重畳した重畳画像を示す重畳画像情報を生成する重畳画像情報生成ステップと、
前記印刷画像情報、前記裏地内容情報、前記裏地画像情報、及び前記重畳画像情報のうち、いずれの情報を記録手段に記録するかをユーザに設定させる設定ステップと、
前記設定ステップにより前記記録手段に記録することが設定された前記情報を、所定の情報に関連づけて前記記録手段に履歴情報として記録する情報記録ステップと、
を有する処理をコンピュータに実行させるための履歴記録プログラム。
【発明の詳細な説明】
【技術分野】
【０００１】
本発明は、履歴記録システム、履歴記録プログラムに関する。
【背景技術】
【０００２】
印刷した内容を履歴として電子情報で記録するイメージログと言われる技術がある。この技術に関連して、特許文献１には、印刷指示されたプリントデータにPJLの情報を付加して、印刷ログとして保存する技術が開示されている。この特許文献１には、プリントジョブデータをデコンポーズしてビットマップデータとして保存する構成例が記載されている。
【特許文献１】特開２００２−１４９３７１号公報
【発明の開示】
【発明が解決しようとする課題】
【０００３】
このイメージログを、裏地を重畳する印刷に適用した場合、イメージログとして記録された画像が裏地により確認できないようになることがある。確認できないイメージログではイメージログとしての機能を果たさないばかりか、比較的大きなサイズであるイメージログにより記憶資源を有効に利用することができない。
【０００４】
このように、従来のイメージログに関する技術では、イメージログとしての機能を果たさない不要なイメージログまで記録されるという問題点があった。
【０００５】
本発明は上記問題点に鑑み、不要なイメージログが履歴として記録されることを抑制する履歴記録システム、履歴記録プログラムを提供することを目的とする。
【課題を解決するための手段】
【０００６】
上記目的を達成するために請求項１の発明は、情報を記録する記録手段と、記録媒体に画像を印刷する印刷手段と、前記記録媒体に印刷する画像を示す画像情報を取得する画像情報取得手段と、前記記録媒体に前記画像の裏地として前記印刷手段により印刷された場合の裏地画像を示す裏地画像情報を生成する際に用いられる裏地内容情報を取得する裏地内容情報取得手段と、前記画像情報取得手段により取得された画像情報を用いて、前記印刷手段により前記記録媒体に印刷された場合の印刷画像を示す印刷画像情報を生成する印刷画像情報生成手段と、前記裏地内容情報取得手段により取得された裏地内容情報を用いて、前記裏地画像情報を生成する裏地画像情報生成手段と、前記印刷画像情報生成手段により生成された印刷画像情報が示す印刷画像、及び前記裏地画像情報生成手段により生成された裏地画像情報が示す裏地画像を重畳した重畳画像を示す重畳画像情報を生成する重畳画像情報生成手段と、前記印刷画像情報、前記裏地内容情報、前記裏地画像情報、及び前記重畳画像情報のうち、いずれの情報を前記記録手段に記録するかをユーザに設定させる設定手段と、前記設定手段により前記記録手段に記録することが設定された前記情報を、所定の情報に関連づけて前記記録手段に履歴情報として記録する情報記録手段と、を有する。
【０００７】
また、請求項２の発明は、請求項１の発明において、前記所定の情報は、前記印刷手段により前記記録媒体に印刷された日時を示す印刷日時情報、前記画像情報の名称を示す画像名称情報、前記画像情報取得手段が前記画像情報を取得した取得先を特定するための取得先特定情報、前記印刷手段により行われた印刷処理を特定するための印刷処理特定情報、前記印刷手段の名称を示す印刷手段名称情報、及び前記印刷手段を特定するための印刷手段特定情報のうちの少なくとも１つの情報を含むものである。
【０００８】
また、請求項３の発明は、請求項１又は請求項２の発明において、前記裏地内容情報は、前記画像情報が作成された作成日時を示す作成日時情報、前記画像情報を作成した作成者を示す作成者情報、前記画像情報が更新された更新日時を示す更新日時情報、前記画像情報を前記作成者が作成する際に用いたソフトウェアを示すソフトウェア情報、及び所定の文字列のうちの少なくとも１つの情報を含む。
【０００９】
また、請求項４の発明は、請求項３の発明において、前記裏地内容情報に含まれる情報を検索キーとして、前記記録手段に記録された前記裏地内容情報を検索する検索手段を更に有する。
【００１０】
請求項５の発明は、記録媒体に印刷する画像を示す画像情報を取得する画像情報取得ステップと、前記記録媒体に前記画像の裏地として、記録媒体に画像を印刷する印刷手段により印刷された場合の裏地画像を示す裏地画像情報を生成する際に用いられる裏地内容情報を取得する裏地内容情報取得ステップと、前記画像情報取得ステップにより取得された画像情報を用いて、前記印刷手段により前記記録媒体に印刷された場合の印刷画像を示す印刷画像情報を生成する印刷画像情報生成ステップと、前記裏地内容情報取得ステップにより取得された裏地内容情報を用いて、前記裏地画像情報を生成する裏地画像情報生成ステップと、前記印刷画像情報生成ステップにより生成された印刷画像情報が示す印刷画像、及び前記裏地画像情報生成ステップにより生成された裏地画像情報が示す裏地画像と重畳した重畳画像を示す重畳画像情報を生成する重畳画像情報生成ステップと、前記印刷画像情報、前記裏地内容情報、前記裏地画像情報、及び前記重畳画像情報のうち、いずれの情報を記録手段に記録するかをユーザに設定させる設定ステップと、前記設定ステップにより前記記録手段に記録することが設定された前記情報を、所定の情報に関連づけて前記記録手段に履歴情報として記録する情報記録ステップと、を有する処理をコンピュータに実行させるための履歴記録プログラムである。
【発明の効果】
【００１１】
請求項１の発明によれば、不要なイメージログが履歴として記録されることを抑制する履歴記録システムを提供することができる。
【００１２】
請求項２の発明によれば、所定の情報を、前記印刷手段により前記記録媒体に印刷された日時を示す印刷日時情報、前記画像情報の名称を示す画像名称情報、前記画像情報取得手段が前記画像情報を取得した取得先を特定するための取得先特定情報、前記印刷手段により行われた印刷処理を特定するための印刷処理特定情報、前記印刷手段の名称を示す印刷手段名称情報、及び前記印刷手段を特定するための印刷手段特定情報のうちの少なくとも１つの情報を含むものとすることができる。
【００１３】
請求項３の発明によれば、裏地内容情報を、前記画像情報が作成された作成日時を示す作成日時情報、前記画像情報を作成した作成者を示す作成者情報、前記画像情報が更新された更新日時を示す更新日時情報、及び前記画像情報を前記作成者が作成する際に用いたソフトウェアを示すソフトウェア情報のうちの少なくとも１つの情報を含むものとすることができる。
【００１４】
請求項４の発明によれば、裏地内容情報を用いた検索ができるので、裏地内容情報で検索できない場合と比較して、検索対象を絞ることが可能となる。
【００１５】
請求項５の発明によれば、不要なイメージログが履歴として記録されることを抑制する履歴記録プログラムを提供することができる。
【発明を実施するための最良の形態】
【００１６】
以下、図面を参照して、本発明の実施の形態について詳細に説明する。
【００１７】
図１は、本実施の形態に係る履歴記録システムの全体構成を示す図である。同図には、複数（図では３つ）のＰＣ（Personal Computer）２０Ａ、２０Ｂ、２０Ｃ、プリントサーバ２２、イメージログサーバ２４、重畳サーバ２６、複数（図では２つ）のプリンタ１０Ａ、１０Ｂ、及びそれらを接続するネットワークが示されている。以下の説明では、各ＰＣ、プリンタを区別する場合には、符号に対応する文字（ＡやＢなど）を付加し、特に区別しない場合には各ＰＣ、プリンタに対応する文字を省略して説明する。
【００１８】
また、同図に示されるように、ＰＣ２０、プリンタ１０は、複数描かれているが、これは一例を示すものであり、ＰＣ２０、プリンタ１０は、各々１つずつであっても良いし、更に多く設けるようにしても良い。
【００１９】
上述した構成において、ＰＣ２０は、ユーザの要求により、プリントサーバ２２に印刷要求を通知するものである。この印刷要求により、印刷する画像を示す画像情報、裏地内容情報がプリントサーバ２２に通知される。
【００２０】
この裏地内容情報は、画像情報が作成された作成日時を示す作成日時情報、画像情報を作成したユーザを示す作成者情報、画像情報が更新された更新日時を示す更新日時情報、画像情報をユーザが作成する際に用いたソフトウェアを示すソフトウェア情報、及び所定の文字列のうちの少なくとも１つの情報を含むものである。このうち、ソフトウェア情報とは、例えばワードプロセッサや画像編集ソフトのアプリケーション名を示すものである。また、所定の文字列とは、例えば裏地画像を「秘」とすることなどを示す文字列である。
【００２１】
プリンタ１０は、記録媒体（以下、単に紙と記す）に画像を印刷するものである。プリントサーバ２２は、ＰＣ２０から画像を示す画像情報を取得する。また、プリントサーバ２２は、紙に画像の裏地としてプリンタ１０により印刷された場合の裏地画像を示す裏地画像情報を生成する際に用いられる裏地内容情報を取得する。
【００２２】
更に、プリントサーバ２２は、イメージログサーバ２４に対しては後述する情報を記録するように要求する。また、プリントサーバ２２は、重畳サーバ２６に上記画像情報、及び裏地情報を送信する。更にプリントサーバ２２は、プリンタ１０に印刷の実行を要求する。
【００２３】
重畳サーバ２６は、プリントサーバ２２から受信した画像情報を用いて、紙に印刷された場合の印刷画像を示す印刷画像情報を生成する。また、重畳サーバ２６は、紙に画像の裏地としてプリンタ１０により印刷された場合の裏地画像を示す裏地画像情報を生成する。更に、重畳サーバ２６は、印刷画像情報が示す印刷画像、及び裏地画像情報が示す裏地画像を重畳した重畳画像を示す重畳画像情報を生成する。
【００２４】
イメージログサーバ２４は、情報記録手段に対応し、印刷画像情報、裏地内容情報、裏地画像情報、及び重畳画像情報のうちのいずれかの情報を、所定の情報（以下、印刷関連情報と記す）に関連づけて記録するものである。
【００２５】
ここで印刷関連情報とは、プリンタ１０により紙に印刷された日時を示す印刷日時情報、画像情報の名称を示す画像名称情報、プリントサーバ２２が画像情報を取得した取得先（ＰＣ２０）を特定するための取得先特定情報、プリンタ１０により行われた印刷処理を特定するための印刷処理特定情報、プリンタ１０の名称を示すプリンタ名称情報、及びプリンタを特定するためのプリンタ特定情報のうちの少なくとも１つの情報を含むものである。
【００２６】
このうち、画像名称情報は、例えばファイル名である。印刷処理特定情報は、プリントサーバ２２がプリンタ１０に印刷を指示した際に、プリンタ１０により実行された印刷処理を一意的に示す情報である。プリンタ特定情報とは、プリンタ１０を一意的に識別するためのもので、例えばそのプリンタ１０のＩＰアドレス等である。
【００２７】
以上説明した構成では、プリントサーバ２２、イメージログサーバ２４、重畳サーバ２６、及びプリンタ１０は、それぞれ別なものとしているが、この構成に限るものではなく、プリントサーバ２２、イメージログサーバ２４、重畳サーバ２６、及びプリンタ１０の４つの装置のうちの任意の装置同士を組み合わせた装置を組み合わせた構成としても良い。特に重畳サーバ２６の機能は、ソフトウェアとしてＰＣ２０、プリントサーバ２２等に搭載するようにしても良い。
【００２８】
次に、図２を用いてプリンタ１０のハードウェア構成について説明する。プリンタ１０は、ＣＰＵ（Central Processing Unit）４０と、フラッシュメモリ４２と、ＲＡＭ（Random Access Memory）４４と、ＮＶＭ（Non-Volatile Memory）４６と、ＵＩ（User Interface）４８と、ＨＤＤ（Hard Disk Drive）５０と、プリンタエンジン５２と、通信Ｉ／Ｆ（インタフェース）５４と、バス５６とを含む。
【００２９】
ＣＰＵ４０は、プリンタ１０の全体の動作を司るものであり、後述するフローチャートに示される処理は、ＣＰＵ４０により実行される。フラッシュメモリ４２は、ＲＡＭ４４に展開されるプログラム及び起動時に動作するブートプログラム等が記憶されている。
【００３０】
ＲＡＭ４４は、ＯＳ（Operating System）やプログラムや画像情報等が展開される記憶装置である。ＮＶＭ４６には、プリンタ１０に係る設定値等が記憶される。
【００３１】
通信Ｉ／Ｆ５４は、ネットワークに接続するためのＮＩＣ（Network Interface Card）やそのドライバ、或いはＵＳＢデバイス等を含んで構成される。
【００３２】
プリンタエンジン５２は、紙に画像を印刷するエンジンである。ＨＤＤ５０は、画像情報等が記録される記憶装置である。ＵＩ４８は、ユーザがプリンタ１０の操作や情報を入力する際に用いられるものである。バス５６は、情報のやりとりが行われる際に使用される。
【００３３】
なお、以上説明した構成に、例えばスキャナエンジンや、電話回線と接続するためのインタフェース等、画像処理に関するものを加えるようにしても良い。
【００３４】
次に、図３を用いてＰＣ２０、プリントサーバ２２、イメージログサーバ２４、及び重畳サーバ２６の構成について説明する。これら装置の構成はスペック等を除いて同一であることが多いので、ここではＰＣ２０として説明する。
【００３５】
ＰＣ２０は、ＣＰＵ１２と、ＨＤＤ１３と、ＲＡＭ１４と、通信Ｉ／Ｆ１５と、ＲＯＭ１６と、表示部１７と、操作入力部１８と、それらを接続するバス１９とを含む。
【００３６】
ＣＰＵ１２は、ＰＣ２０の全体の動作を司るものであり、後述するＰＣ２０の処理の流れを示すフローチャートは、ＣＰＵ１２により実行される。ＨＤＤ１３は、各種プログラム、ＯＳなどが記録される記憶装置である。ＲＡＭ１４は、ＯＳ、プログラムなどが展開される記憶装置である。また、イメージログサーバ２４のＨＤＤ１３は、情報を記録する記録手段に対応する。
【００３７】
通信Ｉ／Ｆ１５は、ネットワークに接続するためのものであり、ＮＩＣやそのドライバ、又はＵＳＢデバイス等を含んで構成される。ＲＯＭ１６は、ＰＣ２０の起動時に動作するブートプログラムなどが記憶されている記憶装置である。表示部１７は、各種情報をユーザに表示するものである。操作入力部１８は、ユーザがＰＣ２０の操作指示や各種情報を入力する際に用いられるものである。バス１９は、情報のやりとりが行われる際に使用される。
【００３８】
なお、上述したＨＤＤ１３には、ＣＰＵ１２により実行される後述する履歴記録プログラムやそのプログラムが用いるデータなどが記録される。このプログラムは、必ずしもＨＤＤ１３に記録されたプログラムでなくても良い。ＨＤＤ１３以外の記録媒体として、具体的には可搬型の記録媒体にプログラムを記録したものが挙げられる。この場合、ＰＣ２０に、可搬型の記録媒体を読み取るための読み取り装置を設け、可搬型の記録媒体は読み取り装置に対して、磁気、光、電気等のエネルギーの変化状態を引き起こし、それに対応する信号の形式で、読み取り装置にプログラムの記述内容を伝達できるものである。
【００３９】
可搬型の記録媒体として、例えば光磁気ディスク、光ディスク（ＣＤやＤＶＤなどを含む）、磁気ディスク、メモリ（ＩＣカード、メモリカードなどを含む）などが挙げられる。
【００４０】
次に、イメージログサーバ２４により、ＨＤＤ１３に記録される情報について、図４を用いて説明する。
【００４１】
同図に示されるように、イメージログサーバ２４は、プリンタ１０が印刷する毎に、印刷関連情報、印刷画像情報、裏地内容情報、裏地画像情報、及び重畳画像情報のうちのいずれかの情報をＨＤＤ１３に記録する。
【００４２】
例えば、１行目に記録された情報は、２００７年８月３１日の１０時１２分５３秒に印刷されたことを示すとともに、その時に印刷された印刷画像情報ＡＡＡ．ｊｐｇ、裏地画像情報ＢＢＢ．ｊｐｇ、裏地情報「ユーザ名、アプリ名」を示している。この１行目には、重畳画像情報は記録されていないことが「なし」として示されている。
【００４３】
２行目に記録された情報は、印刷関連情報と裏地情報のみであり、３行目に記録された情報は、印刷画像情報を除く他の情報となっている。
【００４４】
これらの情報が印刷関連情報に関連づけられて、履歴情報としてイメージログサーバ２４に記録される。また、いずれの情報を記録するかについては、後述する設定処理により履歴記録システムの例えば管理者により設定される。
【００４５】
次に、図５を用いて、印刷画像、裏地画像、重畳画像について説明する。印刷画像とは、例えば同図に示されるような通常の絵を示すものや、ワープロ文書等、ユーザが本来印刷したい画像である。また、裏地画像とは、印刷画像が印刷された面の裏面に印刷されるものではなく、印刷画像と同じ面に印刷される画像であり、同図では、「裏地」という単語が２つ描かれている。そして、重畳画像は、印刷画像と裏地画像を重畳した画像である。従って、同図に示されるように、絵と「裏地」が重畳されたものとなる。この重畳画像が実際に印刷される画像となる。
【００４６】
以下、上述した構成で実行される処理を、フローチャートを用いて説明する。まず、図６を用いて、印刷画像情報、裏地内容情報、裏地画像情報、及び重畳画像情報のうち、いずれの情報をＨＤＤ１３に記録するかを履歴記録システムの管理者に設定させる設定処理について説明する。
【００４７】
この設定処理は、例えばＰＣ２０で動作し、その結果がプリントサーバ２２に通知されるようにしても良い。また、このフローチャートで用いられる各フラグは、オフで初期化されているものとする。
【００４８】
まず、ステップ１０１で、裏地画像情報を記録するか否かユーザに設定させ、記録する場合には、ステップ１０２で、裏地画像フラグオンとし、ステップ１０３の処理を行う。ステップ１０１でユーザが記録しないとした場合には、ステップ１０３で、重畳画像情報を記録するか否かユーザに設定させ、記録する場合には、ステップ１０４で、重畳画像フラグオンとし、ステップ１０５の処理を行う。
【００４９】
ステップ１０３でユーザが記録しないとした場合には、ステップ１０５で、裏地内容情報を記録するか否かユーザに設定させ、記録する場合には、ステップ１０６で、裏地フラグオンとし、ステップ１０７の処理を行う。ステップ１０５でユーザが記録しないとした場合には、ステップ１０７で、印刷画像情報を記録するか否かユーザに設定させ、記録する場合には、ステップ１０８で、印刷画像フラグオンとし、処理を終了する。また、ステップ１０７でユーザが記録しないとした場合にも処理を終了する。
【００５０】
このようにして設定された各フラグは、上述したようにプリントサーバ２２に即座に送信しても良いし、或いは印刷要求をする際にプリントサーバ２２に送信するようにしても良い。また、管理者は必要な情報のみを記録することを可能となるため、不要なイメージログが履歴として記録されることを抑制することができる。
【００５１】
次に、履歴記録処理について、図７を用いて説明する。まず、ステップ２０１で、プリントサーバ２２は、ＰＣ２０より画像情報、裏地内容情報を取得する。次のステップ２０２で、重畳サーバ２６は、画像情報を用いて、印刷画像情報を生成する。
【００５２】
次のステップ２０３で、プリントサーバ２２は、裏地を重畳するか否か判断する。この判断は、例えば画像情報や裏地内容情報のヘッダ部分にＰＣ２０より設定された裏地を重畳するか否かを示す情報に基づいて行われる。
【００５３】
ステップ２０３で否定判断した場合には、ステップ２１２に処理が進む。一方、ステップ２０３で肯定判断した場合には、ステップ２０４で重畳サーバ２６は、裏地画像情報を生成し、更にステップ２０５で、重畳画像情報を生成する。
【００５４】
次のステップ２０６で、プリントサーバ２２は、裏地画像フラグがオンか否か判断する。ステップ２０６で否定判断した場合には、ステップ２０８に処理が進む。一方、ステップ２０６で肯定判断した場合には、イメージログサーバ２４は、ステップ２０７で裏地画像情報を記録する。
【００５５】
次のステップ２０８で、プリントサーバ２２は、重畳画像フラグがオンか否か判断する。ステップ２０８で否定判断した場合には、ステップ２１０に処理が進む。一方、ステップ２０８で肯定判断した場合には、イメージログサーバ２４は、ステップ２０９で重畳画像情報を記録する。
【００５６】
次のステップ２１０で、プリントサーバ２２は、裏地フラグがオンか否か判断する。ステップ２１０で否定判断した場合には、ステップ２１２に処理が進む。一方、ステップ２１０で肯定判断した場合には、イメージログサーバ２４は、ステップ２１１で裏地内容情報を記録する。
【００５７】
次のステップ２１２で、プリントサーバ２２は、印刷画像フラグがオンか否か判断する。ステップ２１２で否定判断した場合には、ステップ２１４に処理が進む。一方、ステップ２１２で肯定判断した場合には、イメージログサーバ２４は、ステップ２１３で印刷画像情報を記録する。
【００５８】
次のステップ２１４で、イメージログサーバ２４は、印刷関連情報を記録し、ステップ２１５で、プリンタ１０は印刷し、処理が終了する。
【００５９】
上述した履歴記録処理により、管理者により設定された必要な情報だけが履歴として記録されることとなる。
【００６０】
次に、裏地内容情報に含まれる情報を検索キーとして、イメージログサーバ２４のＨＤＤ１３に記録された裏地内容情報を検索する処理について、図８を用いて説明する。
【００６１】
まず、ステップ３０１で、ＰＣ２０は、表示部１７に検索キーの入力画面を表示する。次のステップ３０２で検索キーが入力されると、ステップ３０３で、イメージログサーバ２４は、検索キーを含む裏地内容情報を検索する。この検索は、図４で説明した裏地内容情報に記録された情報において、検索キーと同じ文字列を検索するものである。
【００６２】
ステップ３０４で、ＰＣ２０は、イメージログサーバ２４により検索された裏地内容情報に対応する（同じ行に存在する）各種情報（印刷関連情報、印刷画像情報、裏地内容情報、裏地画像情報、及び重畳画像情報）を表示し、処理を終了する。
【００６３】
従来のイメージログ機能は、裏地内容情報を記録しないため、文字列などによる検索ができない。従って、裏地内容情報を用いた検索により、検索対象を絞ることが可能となる。
【００６４】
なお、以上説明した各フローチャートの処理の流れは一例であり、本発明の主旨を逸脱しない範囲内で処理順序を入れ替えたり、新たなステップを追加したり、不要なステップを削除したりすることができることは言うまでもない。
【図面の簡単な説明】
【００６５】
【図１】本実施の形態に係る履歴記録システムの全体構成を示す図である。
【図２】プリンタのハードウェア構成を示す図である。
【図３】ＰＣ、プリントサーバ、イメージログサーバ、及び重畳サーバのハードウェア構成を示す図である。
【図４】イメージログサーバが記録する各種情報を示す図である。
【図５】印刷画像、裏地画像、及び重畳画像を示す図である。
【図６】設定処理を示すフローチャートである。
【図７】履歴記録処理を示すフローチャートである。
【図８】検索処理を示すフローチャートである。
【符号の説明】
【００６６】
１０、１０Ａ、１０Ｂ  プリンタ
１２、４０  ＣＰＵ
１３、５０  ＨＤＤ
１４、４４  ＲＡＭ
１５、５４  通信Ｉ／Ｆ
１６  ＲＯＭ
１７  表示部
１８  操作入力部
２０、２０Ａ、２０Ｂ、２０Ｃ  ＰＣ
２２  プリントサーバ
２４  イメージログサーバ
２６  重畳サーバ
４６  ＮＶＭ
４８  ＵＩ
５２  プリンタエンジン
【図１】
2009064325.tif 000003
【図２】
2009064325.tif 000004
【図３】
2009064325.tif 000005
【図４】
2009064325.tif 000006
【図５】
2009064325.tif 000007
【図６】
2009064325.tif 000008
【図７】
2009064325.tif 000009
【図８】
2009064325.tif 000010